(57)【要約】      （修正有）【課題】紐を好みの長さにして取り付けることを可能とした携帯電子機器のカバーおよび紐通し結び目止め孔付き物品を提供する【解決手段】携帯電子機器のカバー１は、カバー本体３と、このカバー本体３の底部に設けられた凹み形態の結び目退避凹部４と、この結び目退避凹部４の底部１０に該結び目退避凹部４に連通形態で設けられた貫通孔であり、携帯ストラップ５の非ループの１本形態の紐６は通るがその結び目７および２本紐形態の紐は通らない形態の紐通し結び目止め孔８ａ〜８ｉとを備えている。【選択図】図１
2016034467.tif 000002
【特許請求の範囲】
【請求項１】
携帯電子機器を収納ないし該携帯電子機器の一部を被うカバー本体と、
このカバー本体に設けられた、非ループの１本形態の紐は通すがその紐の結び目は通さない形態の紐通し結び目止め孔と、とを備えてなることを特徴とする携帯電子機器のカバー。
【請求項２】
携帯電子機器を収納ないし該携帯電子機器の一部を被うカバー本体と、
このカバー本体に設けられた、非ループの１本形態の紐は通すがその紐の結び目は通さない形態の紐通し結び目止め孔と、
この紐通し結び目止め孔に連通した前記結び目を退避ないし収納するための結び目退避凹部と、とを備えてなることを特徴とする携帯電子機器のカバー。
【請求項３】
携帯電子機器を収納ないし該携帯電子機器の一部を被うカバー部位、非ループの１本の紐は通すがその結び目は通さない形態の紐通し結び目止め孔を有する硬質部材とからなるカバー本体と、
前記カバー部位に設けられた、前記硬質部材が入るとともに、前記紐通し結び目止め孔に通された紐の結びを退避ないし収納するための、前記紐通し結び目止め孔と重なる重なり孔を有する結び目退避凹部と、とを備えてなることを特徴とする携帯電子機器のカバー。
【請求項４】
物品本体と、
この物品本体に設けられた、該物品本体を携帯電子機器あるいは該携帯電子機器のカバーに取り付けるための取付け手段を有する取付け部、あるいは取付け手段を設けるための取付け部と、
前記物品本体に設けられた、非ループの１本形態の紐は通すがその紐の結び目は通さない形態の紐通し結び目止め孔と、
この紐通し結び目止め孔に連通した前記結び目を退避ないし収納するための結び目退避凹部と、とを備えてなることを特徴とする紐通し結び目止め孔付き物品。
【発明の詳細な説明】
【技術分野】
【０００１】
本発明は、携帯電子機器のカバー（ケースを含む）および携帯電子機器ないしそのカバーに取付けて使用する紐通し結び目止め孔付き物品に関する。
【背景技術】
【０００２】
従来、携帯ストラップの紐を通し取り付けるための紐通し孔（以下「ストラップホール」ともいう。）を有する、携帯電話、多機能携帯電子機器（「スマホないしスマートホン」とよばれている。）、携帯デジタルカメラなどの携帯電子機器が知られている。（例えば、特許文献１）
【先行技術文献】
【特許文献】
【０００３】
【特許文献１】特許第5174274号
【発明の概要】
【発明が解決しようとする課題】
【０００４】
上述した従来技術は、多くの場合、ループ紐を二つ折り二本形態で通すぎりぎりの大きさの孔形態であるために、折り部位が広がった状態では通し難いという欠点を有するものであった。
また、ループ紐はその固定されたループ形態によって、紐の長さが固定であるため、紐を好みの長さにできない、好みの長さのものに替えられないという欠点を有するものであった。
また、ループ紐はその固定されたループ形態によって、取り付けてある飾り物品、機能性物品などのアクセント物品の形態が、そのループを潜らせなければならない形態、大きさでなければならないという欠点を有するものであった。
【０００５】
また、ループ紐の根本は金属製筒状部材によって合わせ状態とされ、かつ、金属製筒状部材にはペンチで強制的に開閉させる形態の金属製環部材が設けられた形態であるので、部品点数および部品コストがかかる、金属製筒状部材と金属製環部材が美観を損ねる場合が少なくない、金属製環部材に取付けられた飾りや外すには、特殊工具であるペンチが無ければできないという欠点を有するものであった。
【０００６】
本発明は以上のような従来技術の欠点に鑑み、紐の取付けが容易であり、紐を好みの長さにして取り付けることができ、紐の取り替えも簡単容易にできることを可能とした携帯電子機器のカバーおよび紐通し結び目止め孔付き物品を提供することを目的としている。
【課題を解決するための手段】
【０００７】
上記目的を達成するために、本発明は次に述べるような構成としている。
＜請求項１記載の発明＞
携帯電子機器を収納ないし該携帯電子機器の一部を被うカバー本体と、
このカバー本体に設けられた、非ループの１本形態の紐は通すがその紐の結び目は通さない形態の紐通し結び目止め孔と、とを備えてなることを特徴とする携帯電子機器のカバーである。
【０００８】
「携帯電子機器」とは、携帯電話、多機能携帯端末（スマートホンなど）、電子書籍表示端末、携帯テレビ、携帯デジタルカメラ、携帯無線機、携帯ゲーム機などの携行する形態の電子機器をいう。
「カバー」には「ケース」も含まれる。
【０００９】
＜請求項２記載の発明＞
携帯電子機器を収納ないし該携帯電子機器の一部を被うカバー本体と、
このカバー本体に設けられた、非ループの１本形態の紐は通すがその紐の結び目は通さない形態の紐通し結び目止め孔と、
この紐通し結び目止め孔に連通した前記結び目を退避ないし収納するための結び目退避凹部と、とを備えてなることを特徴とする携帯電子機器のカバーである。
【００１０】
＜請求項３記載の発明＞
携帯電子機器を収納ないし該携帯電子機器の一部を被うカバー部位、非ループの１本の紐は通すがその結び目は通さない形態の紐通し結び目止め孔を有する硬質部材とからなるカバー本体と、
前記カバー部位に設けられた、前記硬質部材が入るとともに、前記紐通し結び目止め孔に通された紐の結びを退避ないし収納するための、前記紐通し結び目止め孔と重なる重なり孔を有する結び目退避凹部と、とを備えてなることを特徴とする携帯電子機器のカバー。
【００１１】
＜請求項４記載の発明＞
物品本体と、
この物品本体に設けられた、該物品本体を携帯電子機器あるいは該携帯電子機器のカバーに取り付けるための取付け手段を有する取付け部、あるいは取付け手段を設けるための取付け部と、
前記物品本体に設けられた、非ループの１本形態の紐は通すがその紐の結び目は通さない形態の紐通し結び目止め孔と、
この紐通し結び目止め孔に連通した前記結び目を収納するための結び目退避凹部と、とを備えてなることを特徴とする紐通し結び目止め孔付き物品である。
【発明の効果】
【００１２】
以上の説明から明らかなように、本発明にあっては次に列挙する効果が得られる。
＜請求項１記載の発明の効果＞
（１）非ループの１本の紐の一方側（何もつけていない）をその一本紐状態のまま、非ループの１本の紐は通すが該紐の結び目は通さない形態の紐通し結び目止め孔に通し、通し出た通し出し紐部位に結び目を形成することで、該結び目は前記紐通し結び目止め孔から抜けることができないので、紐を携帯電子機器のカバーに容易に取り付けることができるという効果を奏する。
非ループの１本の紐の一方側には飾り物品や、指に掛けるなどの機能性物品が取付けられている、ないし、後付けする。
【００１３】
（２）前記（１）によって、紐の長さを好みの長さにできる、紐をハサミや爪切りなどの身近な切断手段で切断して取り除き、新しい紐に簡単容易に取り換えることができるという効果を奏する。
また、最初は紐を長めとなる位置に結び目を形成して使用し、後で紐を切断して結び目を取り除き、再度紐を紐通し結び目止め孔に通し新たな結び目を形成することを、少しずつ繰り返す等して、紐をより好みないし最適な長さにすることを可能にするという効果を奏する。
【００１４】
＜請求項２記載の発明の効果＞
請求項１記載の発明と同様な効果を奏するとともに、紐通し結び目止め孔に連通した前記結び目を退避ないし収納するための結び目退避凹部を設けたので、結び目が結び目退避凹部に退避した形態となるので、携帯電子機器とカバーの間に結び目が強く挟まれない形態を実現する、ないし、結び目退避凹部に全部収納された形態となって結び目が見えない美感的に優れた形態を実現するという効果を奏する。
【００１５】
＜請求項３記載の発明の効果＞
このような構成としても、請求項２期佐野発明と同様な効果を奏するとともに、結び目の抜けを阻止する部材が硬質部材であるので安全性が高められるものである。
また、カバー部位がシリコンゴム製部材などのゴム製部材、柔軟性合成樹脂製部材、皮製部材などの柔軟性製部材であっても、硬質部材（プレート形態が好ましい）によって、紐が抜けない安全な形態を実現するという効果を奏する。
【００１６】
＜請求項４記載の発明の効果＞
紐通し結び目止め孔付き物品を携帯電子機器あるいは携帯電子機器のカバーに後付けで取付けることにより、請求項１記載の発明と同様な効果を奏するとともに、結び目退避凹部に収納されて外からは見えない形態となるので、美観的に優れた形態を実現するという効果を奏する。
【図面の簡単な説明】
【００１７】
【図１】本発明の実施例１を示す上方から見たおよび下方から見た使用状態斜視図。
【図２】本発明の実施例２を示すストラップを取付けた状態の斜視図。
【図３】本発明の実施例３を示すストラップを取付けた状態の斜視図および部分切断拡大端面図。
【図４】本発明の実施例４を示す斜視図（下図）および使用状態斜視図（上図）。
【図５】本発明の実施例５を示すストラップを取付けた状態の斜視図（上図）。
【図６】本発明の実施例６を示す使用状態斜視図（下図）および拡大斜視図（上図）。
【図７】本発明の実施例７を示すストラップを取付けた状態の斜視図。
【図８】本発明の実施例８を示すストラップを取付けた状態の斜視図。
【図９】本発明の実施例９を示すストラップを取付けた状態の斜視図。
【図１０】本発明の実施例１０を示す平面図および紐を取付けた状態のＢ−Ｂ線切断Ｃ−Ｃ線部分拡大断面図。
【図１１】本発明の実施例１１を示す平面図および紐を取付けた状態のＤ−Ｄ線切断Ｅ−Ｅ線部分拡大断面図。
【図１２】本発明の実施例１２を示す平面図および紐を取付けた状態のＦ−Ｆ線切断Ｇ−Ｇ線部分拡大断面図。
【発明を実施するための形態】
【００１８】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００１９】
図１に示す本発明の実施例１において、１はスマートホンである携帯電子機器９を上部開口２から押し入れて収納する携帯電子機器のカバー（「ケース」も含む。）である。
携帯電子機器のカバー１は、カバー本体３と、このカバー本体３の底部に設けられた凹み形態の結び目退避凹部４と、この結び目退避凹部４の底部１０に該結び目退避凹部４に連通形態で設けられた貫通孔である、携帯ストラップ５の非ループの１本形態の紐６は通るがその結び目７および２本紐形態の紐は通らない形態の紐通し結び目止め孔８ａ〜８ｉとを備えている。
結び目退避凹部４は、結び目７および紐６が結び目退避凹部４に位置することによって、携帯電子機器のカバー１と該携帯電子機器のカバー１に収納した携帯電子機器９との間に強く挟まれることがなく、携帯電子機器のカバー１を押して該携帯電子機器のカバー１を歪めたり、携帯電子機器のカバー１と携帯電子機器９の間に隙間を形成したり、携帯電子機器のカバー１から携帯電子機器９が外れやすくなったり、などのことが生じないようになっている。
紐通し結び目止め孔８ａ〜８ｉは、紐の太さが０．８ｍｍである場合は１．０ｍｍ〜１．３ｍｍ、紐の太さが１．０ｍｍである場合は１．２ｍｍ〜１．６ｍｍ程度が適当である。
【００２０】
結び目退避凹部４の落ち込みないし深さ（以下「深さ」という。）は０．５ｍｍ〜２ｍｍ程度、ないし０．５ｍｍ〜３ｍｍ程度とするのがよい。
結び目退避凹部４の深さが０．５ｍｍ程度であるばあいは、結び目７は携帯電子機器９の底部によって押し潰された状態となる。
【００２１】
携帯ストラップ５は、紐６、この紐６の一方側に形成された、何も設けない形態である紐のみ部１３、紐６の他方側に設けられた指に掛けるコイルスプリング形態のアクセントパーツ１２と、を備えてなる形態である。
底部１０の外から紐通し結び目止め孔８ｆに紐のみ部１３の先端を通し、次に紐通し結び目止め孔８ｅに通して底部１０の外に出し、次に紐通し結び目止め孔８ｂに通して結び目退避凹部４に出して突出紐部位１４を形成し、出た突出紐部位１４に好みの紐長さとなる部位に一回結びからなる結び目７を形成し、余計な部位は切り取り除き、先端が解れるようだったらライターの炎で炙り溶かす、接着剤を塗布するなどする。
【００２２】
携帯電子機器のカバー１と携帯ストラップ５によって、紐６は通るがその結び目７は通らない形態の結び目通し孔８ａ〜８ｉのいずれかに、紐のみ部１３を一方口から差し込み通して他方口から出して突出紐部位１４を形成し、突出紐部位１４に結び目７を形成し、結び目７が紐通し結び目止め孔８ａ〜８ｉのいずかを通れないことによって、携帯電子機器のカバー１に携帯ストラップ５を取り付ける携帯ストラップの取付け方法を実現しているものである。
【００２３】
結び目退避凹部の設置個所は底壁、側壁のいずれでもよく、底壁と側壁に連通した形態でもよく、その形も動物、花、模様、ロゴなどをアレンジした凹形態、底部壁全体が緩やかに傾斜した形態の凹形態など、その形態は多様なものが含まれる。
【実施例２】
【００２４】
図２に示す本発明の実施例２において、１５はスマートホンを上部開口２ないし底部開口部１７から押し入れて収納する形態の携帯電子機器のカバーである。
携帯電子機器のカバー１５は、カバー本体１６と、携帯電子機器のカバー１６の上部開口部２と、底部開口部１７と、左側壁部２０に設けられた貫通孔である、携帯ストラップ５の非ループの１本形態の紐６は通るがその結び目７は通らない形態の紐通し結び目止め孔１８ａ〜１８ｄと、右側壁部２１に設けられた貫通孔である、携帯ストラップ５の非ループの１本形態の紐６は通るがその結び目７は通らない形態の紐通し結び目止め孔１９ａ〜１９ｄと、を備えた形態となっている。
紐通し結び目止め孔１８ａ〜１８ｄは左側壁部２０に設けられた結び目退避凹部２２ａ内に設けられ、紐通し結び目止め孔１９ａ〜１９ｄは右側壁部２１に設けられた結び目退避凹部２２ｂ内に設けられている。
【００２５】
紐通し結び目止め孔１８ｄに外側から紐のみ部１３の先端を中に通し、次に紐通し結び目止め孔１８ｃに通して外に出し、次に紐通し結び目止め孔１８ｂに通して中に入れ突出紐部位１４とし、突出紐部位１４の好みの紐の長さとする適当なところに結び目７を形成し、余分な部位を切り除く、
あるいは、紐６を二つの紐通し結び目止め孔（図では１９ａ、１９ｄ）に通し、その両端に後付けでアクセントパーツ２７ａ、２７ｂを取付ける、
などのことができる。
【実施例３】
【００２６】
図３に示す本発明の実施例３において、２３は携帯電子機器であるスマートホンを上部開口２から押し入れて収納する形態の携帯電子機器のカバー（ケースも含む。）である。
携帯電子機器のカバー２３は、カバー本体１６と、このカバー本体１６の側壁に突出形態で設けた紐取付け部２４とからなっている。
【００２７】
紐取付け部２４は、貫通孔である携帯ストラップ５の非ループの１本形態の紐６は通るがその結び目７は通らない形態の紐通し結び目止め孔２５と、この紐通し結び目止め孔２５に連通した、結び目７を収納する穴形態の結び目退避凹部２６を備えている。
結び目退避凹部２６の広さは、結び目７が障害なく自由に回り動くことができる大きさとなっている。よって、紐６にひねりが生じると結び目７はすぐに回って、該ひねりが解消される。
【実施例４】
【００２８】
図４に示す本発明の実施例４において、前記実施例３と主に異なる点は、紐取付け部を携帯電子機器のカバー２８とは別体である、携帯電子機器取付け部２４を有する紐通し結び目止め孔付き物品２９によって、貼付けて取り付けた点にある。
【００２９】
紐通し結び目止め孔付き物品２９は、紐通し結び目止め孔２５および結び目退避凹部２６を有する紐取付け部２４と、紐取付け部２４の側面位設けられた携帯電子機器ないしそのカバーに取り付ける部位であるプレート形態の取付け部３０と、この取付け部３０に設けられた粘着剤からなる取付け手段３１とからなっている。取付け手段３１の表面は剥離紙３２によって覆われて提供される。
取付け部３０には取付け手段を設けず、後で接着剤からなる取付け手段を塗布して取り付ける形態もよい。
【実施例５】
【００３０】
図５に示す本発明の実施例５において、３４はスマートホンを上部開口２から押し入れて収納する有底形態の携帯電子機器のカバーである。
携帯電子機器のカバー３４は、その底部壁１０に、非ループの１本紐形態の紐６は通すが該紐６で形成した結び目７は通さない孔形態の紐通し結び目止め孔３５ａ〜３５ｈ設け、この紐通し結び目止め孔３５ａ〜３５ｈのそれぞれの箇所は、該紐通し結び目止め孔３５ａ〜３５ｈを底に有する結び目７が退避する凹み形態の結び目退避凹部３６ａ〜３６ｈが設けられている。
結び目退避凹部３６ａ〜３６ｈの箇所を分離した凹、口の字形態の連続した一つの溝形態とするのもよい。
【実施例６】
【００３１】
図６に示す本発明の実施例６において、４３は紐通し結び目止め孔付き物品であり、この紐通し結び目止め孔付き物品４３は、携帯電子機器のカバー９の側面および底面に取り付けられるＬ字形態の取付け部４２と、この取付け部４２に設けられた粘着剤あるいは接着剤からなる取付け手段４４と、取付け部４２の側面に設けられた紐取付け部４５と、この紐取付け部４５に貫通孔形態ないし止まり穴形態で設けられた紐６の結び目７を収納する結び目収納孔４６と、この結び目収納孔４６に連通形態で設けられた、非ループの１本紐形態の紐６は通すがその結び目７は通さない形態の、紐取付け部４５のそれぞれの面に設けられた紐通し結び目止め孔４７ａ、４７ｂ、４７ｃとからなっている。
紐通し結び目止め孔４７ａ、４７ｂ、４７ｃのいずれから、携帯ストラップ５の紐のみ部１３を通し、結び目収納孔４６から外に出し、その出た部位である突出紐部位１４に結び目７を形成し、余分な部位を切り除いて取り付ける。
結び目収納孔４６は、結び目７が自由に回ることができる広さであり、紐６がねじれた場合には、結び目７が回ってそのねじれが解消されるようになっている。
【実施例７】
【００３２】
図７に示す本発明の実施例７において、携帯電子機器のカバー５６は、上部開口で有底形態のカバー本体５７と、このカバー本体５７の外角部位を突出形態とした突出角部位５５と、この突出角部位に設けられた非ループの１本紐形態の太さ０．８ｍｍ、０９ｍｍないし１ｍｍの紐６は通すがその結び目７は通さない孔径１ｍｍ〜１．２ｍｍ、１．１ｍｍ〜１．４ｍｍないし１．２ｍｍ〜１．５ｍｍの紐通し結び目止め孔５３と、該紐通し結び目止め孔５３に連通した結び目７を収納する穴形態の結び目退避凹部５２を備えてなる形態である。
紐通し結び目止め孔５３および結び目退避凹部５２の形成位置やその向きは、側壁、横向きに限られず、底面、上部面、上向き孔、角以外の突出部位（底部外面など）への形成など多様な形態がある。
【実施例８】
【００３３】
図８に示す本発明の実施例８において、前記実施例７と主に異なる点は、紐通し結び目止め孔５３および結び目退避凹部５２の向きを縦向き形態とした携帯電子機器のカバー６０を形成した点にある。
【実施例９】
【００３４】
図９に示す本発明の実施例９において、前記実施例１と主に異なる点は、結び目退避凹部の形態を底部１０が両側から中央に向け下り傾斜形態として、底部１０の略中央に横向き形態に形成した結び目退避凹部６２とし、該結び目退避凹部６２に非ループの１本紐形態の太さ０．８ｍｍ、０９ｍｍないし１ｍｍの紐６は通すがその結び目７は通さない孔径１ｍｍ〜１．２ｍｍ、１．１ｍｍ〜１．４ｍｍないし１．２ｍｍ〜１．５ｍｍの紐通し結び目止め孔６３ａ〜６３ｄを設けた携帯電子機器のカバー６４を形成した点にある。
【００３５】
このように、底部１０面を緩やかに湾曲ないし傾斜させて結び目退避凹部を形成する形態は、突起部位が目立たない形態を実現するものである。
結び目退避凹部の形成箇所は、底部中央に限られず、底部端、底部中央と底部端の間などいろいろであり、その向きも本実施例のようが横向き、縦向き、斜め向き、一点集中形態など多様であり、その形成箇所は側壁面でもよい。
一般的な形態は、わずかなふくらみ形態となり、緩やかな湾曲形態によるものでは、底面ないし側面の形成面は全体として緩やかなふくらみ面となる。
【実施例１０】
【００３６】
図１０は、底部１０面に横方向に長形態とした結び目退避凹部７０を設け、該結び目退避凹部７０に横方向に長形態とした紐通し結び目止め孔７１を設け、紐通し結び目止め孔７１の外縁を補強するためのフランジ部７２を設けてなる携帯電子機器のカバー７３を形成した点にある。
紐通し結び目止め孔７１は、紐は通すがその結び目は通さない形態となっていて、結び目７および紐６は紐通し結び目止め孔７１を移動させることが可能となっている。
結び目退避凹部７０は、突出紐部位１４が１０ｍｍ以上の長さでも入るように２０ｍｍ以上縦幅となっている。
【実施例１１】
【００３７】
図１１は、底部１０面に横方向に長形態とした結び目退避凹部７５を設け、該結び目退避凹部７５に横方向に長形態とした重なり孔７６を設け、結び目退避凹部７５内に該結び目退避凹部７５内を移動可能とした、非ループの１本の紐は通すがその結び目は通さない形態の紐通し結び目止め孔７８を有するプレート形態の硬質部材７７を設けてなる携帯電子機器のカバー７９を形成した点にある。
カバー本体は、カバー部位８０と硬質部材７７とからなり、カバー本体８１を形成している。
結び目退避凹部７５の凹み深さは、該結び目退避凹部７５に入れられた硬質部材７７の厚みよりも深く形成されていて、硬質部材７７面にある結び目７が退避する深さとなっている。
退避する深さとは、結び目７がセットされた携帯電子機器の接触面（ここでは底面）に押し潰された形態で退避する深さも含むものである。このことは、他の実施例にもいえることである。
紐通し結び目止め孔を有する硬質プレートを収める結び目退避凹部は、底部面のみならず側部面位設ける形態もよい。
【実施例１２】
【００３８】
図１２は、前記実施例１１と主に異なる点は、カバー本体８４は、シリコンゴム製、天然ゴム製、柔軟性合成樹脂部材などからなる柔軟性のあるカバー部位８５と、硬質部材７７とからなっていて、結び目退避凹部を硬質部材７７が入る形態で紐通し結び目止め孔７８が重なり、該紐通し結び目止め孔７８より大きな重なり孔８６を底部面に有する結び目退避凹部８７ａ、８７ｂを設けた携帯電子機器のカバー８７を形成した点にある。
【００３９】
カバー部位を硬質部材とした形態もよい。
【産業上の利用可能性】
【００４０】
本発明は、携帯電話、携帯多機能電子端末等の携帯電子機器のカバーを製造・販売する産業で利用される。
【符号の説明】
【００４１】
１：携帯電子機器のカバー、
２：上部開口、
３：カバー本体、
４：結び目退避凹部、
５：携帯ストラップ、
６：紐、
７：結び目、
８ａ〜８ｉ：紐通し結び目止め孔、
９：携帯電子機器のカバー、
１０：底部、
１２：アクセントパーツ、
１３：紐のみ部、
１４：突出紐部位、
１５：携帯電子機器のカバー、
１６：カバー本体、
１７：底部開口部、
１８ａ〜１８ｄ：紐通し結び目止め孔、
１９ａ〜１９ｄ：紐通し結び目止め孔、
２０：左側壁部、
２１：右側壁部、
２２ａ：結び目退避凹部、
２２ｂ：結び目退避凹部、
２３：携帯電子機器のカバー、
２４：紐取付け部、
２５：紐通し結び目止め孔、
２６：結び目退避凹部、
２７ａ：アクセントパーツ、
２７ｂ：アクセントパーツ、
２８：携帯電子機器のカバー、
２９：紐通し結び目止め孔付き物品、
３０：取付け部、
３１：取付け手段、
３２：剥離紙、
３４：携帯電子機器のカバー、
４１：結び目収納孔、
４２：取付け部、
４３：紐通し結び目止め孔付き物品、
４４：取付け手段、
４５：紐取付け部、
４６：結び目収納孔、
４７ａ、４７ｂ、４７ｃ：紐通し結び目止め孔、
５２：結び目退避凹部、
５３：紐通し結び目止め孔、
５５：突出角部位、
５６：携帯電子機器のカバー、
５７：カバー本体、
６０：携帯電子機器のカバー、
６２：結び目退避凹部
６３ａ〜６３ｄ：紐通し結び目止め孔、
６４：携帯電子機器のカバー。
【図１】
2016034467.tif 000003
【図２】
2016034467.tif 000004
【図３】
2016034467.tif 000005
【図４】
2016034467.tif 000006
【図５】
2016034467.tif 000007
【図６】
2016034467.tif 000008
【図７】
2016034467.tif 000009
【図８】
2016034467.tif 000010
【図９】
2016034467.tif 000011
【図１０】
2016034467.tif 000012
【図１１】
2016034467.tif 000013
【図１２】
2016034467.tif 000014